(57)【要約】【課題】尿の拡散性が良好で、吸収性に優れる吸収性物品を提供する。【解決手段】吸収体２０は、トップシート１０側から順に、第一吸収体２１と第二吸収体２２を少なくとも備える複層構造を有し、第一吸収体２１は、長手方向に沿って第一吸収体２１を厚さ方向に貫通するスリット２１ａを少なくとも２本有しており、第一吸収体２１と第二吸収体２２との間には、複数の開孔を有する開孔シート４０が設けられており、開孔シート４０には、平面視において、長手方向に沿って略帯状の形状を有する、凸部４１と凹部４２が、幅方向に交互に形成されており、開孔シート４０の幅方向両端部は凸部４１で構成されており、凹部４２がスリット２１ａと厚さ方向に略重複するように配置される、吸収性物品１を提供する。【選択図】図２
2019170726.tif 000002
【特許請求の範囲】
【請求項１】
液透過性のトップシートと、液不透過性のバックシートと、前記トップシート及び前記バックシートの間に配置された吸収体と、を有する吸収性物品であって、
前記吸収体は、前記トップシート側から順に、第一吸収体と第二吸収体を少なくとも備える複層構造を有し、
前記第一吸収体は、長手方向に沿って前記第一吸収体を厚さ方向に貫通するスリットを少なくとも２本有しており、
前記第一吸収体と前記第二吸収体との間には、複数の開孔を有する開孔シートが設けられており、
前記開孔シートには、平面視において、長手方向に沿って略帯状の形状を有する、凸部と凹部が、幅方向に交互に形成されており、
前記開孔シートの幅方向両端部は前記凸部で構成されており、
前記凹部が前記スリットと厚さ方向に略重複するように配置される、吸収性物品。
【請求項２】
前記凹部における開孔の面積率が、前記凸部における開孔の面積率よりも小さい、請求項１に記載の吸収性物品。
【請求項３】
前記凸部における各開孔の面積は略同一であり、前記凹部における各開孔の面積のパターンが２種以上である、請求項１又は２に記載の吸収性物品。
【請求項４】
前記凹部における、各開孔の面積のパターンが２種であり、面積の大きい開孔を第一の開孔、面積の小さい開孔を第二の開孔とした場合において、前記第一の開孔の数が、前記第二の開孔の数よりも少ない、請求項３に記載の吸収性物品。
【請求項５】
平面視において、前記凹部の幅方向各端部から前記凹部の幅方向の寸法の２０％までの各領域に、それぞれ、前記第一の開孔の全数のうち５％以上６０％以下が配置される、請求項４に記載の吸収性物品。
【発明の詳細な説明】
【技術分野】
【０００１】
本発明は、尿の拡散性が良好で、吸収性に優れる吸収性物品に関する。
【背景技術】
【０００２】
テープ止めタイプ、パンツタイプ等の紙おむつ、軽失禁パッド、軽失禁ライナー、尿取りパッド等の様々な吸収性物品が上市されており、これらの吸収性物品は使用者の症状・用途に応じて適宜選択されて使用される。これらの吸収性物品は、液透過性のトップシートと、液不透過性のバックシートと、両シートの間に配置された吸収体と、で構成されている。このような構成を採用することにより、尿は、吸収性物品のトップシートを透過して吸収体に吸収され、バックシートにより外部へ漏れないようになっている。
【０００３】
吸収性物品の重要な性質である吸収性を向上させるために、様々な検討がなされており、例えば、尿を吸収体全体に素早く拡散させるために、吸収体に設けられるスリットに着目した検討がなされている。
【０００４】
吸収体に設けられるスリットについて検討された吸収性物品として、例えば、特許文献１には、吸収体が、下層吸収体と、その表側に設けられた上層吸収体とからなり、少なくとも股間部における上層吸収体に、所定幅のスリットが前後方向に延在され、下層吸収体には所定幅のスリットが設けられておらず、トップシートがスリット内に落ち込んだ落ち込み部分を有しており、少なくとも落ち込み部分に、厚さ方向に圧縮された部分であり、かつ繊維相互が溶着された部分である低透過部が間隔を空けて多数設けられていることを特徴とする使い捨ておむつが開示されている。
【先行技術文献】
【特許文献】
【０００５】
【特許文献１】特開２０１７−１５３５８７号公報
【発明の概要】
【発明が解決しようとする課題】
【０００６】
しかしながら、特許文献１に記載の吸収性物品において、上層吸収体にスリットを設けることにより、尿の拡散性は向上しているものの、下層吸収体への尿の拡散が十分に検討されたものではなく、繰り返し排尿された場合の吸収性が十分に確保されたものではなかった。そこで、より効果的に、上層吸収体及び下層吸収体への尿の拡散性を向上させ、ひいては、吸収性物品全体の吸収性を高めた吸収性物品が求められる。
【０００７】
したがって、本発明は、以上の課題に鑑みてなされたものであり、尿の拡散性が良好で、吸収性に優れる吸収性物品を提供することを目的とする。
【課題を解決するための手段】
【０００８】
本発明の発明者は、上記課題に鑑み、鋭意研究を行った。その結果、トップシート、吸収体及びバックシートを有する吸収性物品において、吸収体を複層構造とし、最もトップシート側に位置する吸収体に所定のスリットを設け、かつ、各吸収体同士の間に所定の凸部と凹部を有する開孔シートを設けることにより、上記の課題を解決できることを見出し、本発明を完成するに至った。具体的には、本発明は、以下のものを提供する。
【０００９】
（１）本発明の第１の態様は、液透過性のトップシートと、液不透過性のバックシートと、前記トップシート及び前記バックシートの間に配置された吸収体と、を有する吸収性物品であって、前記吸収体は、前記トップシート側から順に、第一吸収体と第二吸収体を少なくとも備える複層構造を有し、前記第一吸収体は、長手方向に沿って前記第一吸収体を厚さ方向に貫通するスリットを少なくとも２本有しており、前記第一吸収体と前記第二吸収体との間には、複数の開孔を有する開孔シートが設けられており、前記開孔シートには、平面視において、長手方向に沿って略帯状の形状を有する、凸部と凹部が、幅方向に交互に形成されており、前記開孔シートの幅方向両端部は前記凸部で構成されており、前記凹部が前記スリットと厚さ方向に略重複するように配置される、吸収性物品である。
【００１０】
（２）本発明の第２の態様は、（１）に記載の吸収性物品であって、前記凹部における開孔の面積率が、前記凸部における開孔の面積率よりも小さいことを特徴とするものである。
【００１１】
（３）本発明の第３の態様は、（１）又は（２）に記載の吸収性物品であって、前記凸部における各開孔の面積は略同一であり、前記凹部における各開孔の面積のパターンが２種以上であることを特徴とするものである。
【００１２】
（４）本発明の第４の態様は、（３）に記載の吸収性物品であって、前記凹部における、各開孔の面積のパターンが２種であり、面積の大きい開孔を第一の開孔、面積の小さい開孔を第二の開孔とした場合において、前記第一の開孔の数が、前記第二の開孔の数よりも少ないことを特徴とするものである。
【００１３】
（５）本発明の第５の態様は、（４）に記載の吸収性物品であって、平面視において、前記凹部の幅方向各端部から前記凹部の幅方向の寸法の２０％までの各領域に、それぞれ、前記第一の開孔の全数のうち５％以上６０％以下が配置されることを特徴とするものである。
【発明の効果】
【００１４】
本発明において、吸収体は、トップシート側から順に、第一吸収体と第二吸収体を少なくとも備える複層構造を有し、第一吸収体は、長手方向に沿って第一吸収体を厚さ方向に貫通するスリットを少なくとも２本有しており、第一吸収体と第二吸収体との間には、複数の開孔を有する開孔シートが設けられており、開孔シートには、平面視において、長手方向に沿って略帯状の形状を有する、凸部と凹部が、幅方向に交互に形成されており、開孔シートの幅方向両端部は凸部で構成されており、凹部がスリットと厚さ方向に略重複するように配置されているため、本発明によれば、尿の拡散性が良好で、吸収性に優れる吸収性物品を提供することができる。
【図面の簡単な説明】
【００１５】
【図１】本発明の吸収性物品の平面図である。
【図２】本発明の吸収性物品の図１におけるＸ１−Ｘ１断面図である。
【図３】本発明の吸収性物品に用いる開孔シートの平面図である。
【発明を実施するための形態】
【００１６】
以下、添付図面を参照して、本発明を実施するための形態について、詳細に説明する。なお、本発明の実施形態の説明の全体を通して、同じ要素には同じ番号又は符号を付している。
【００１７】
本明細書の説明において、吸収性物品１の着用時とは、吸収性物品１の装着時及び装着後の少なくとも一方をいう。吸収性物品１の長手方向とは、着用されたときに着用者の前後に亘る方向であり、図中Ｙで表す方向である。吸収性物品１の幅方向とは、長手方向に対して横又は直交する方向であり、図中Ｘで表す方向である。さらに、身体側表面とは、各部材の表裏両面のうち、着用時に着用者の肌側に配される面であり、衣類側表面とは、各部材の表裏両面のうち、着用時に着用者の肌側とは反対側に向けられる面である。
【００１８】
＜吸収性物品＞
図１は、本発明の吸収性物品１の平面図であり、図２は、本発明の吸収性物品１の図１におけるＸ１−Ｘ１断面図である。本発明の吸収性物品１は、身体側に配置された液透過性のトップシート１０と、トップシート１０に対向し、衣類側に配置された液不透過性のバックシート３０と、トップシート１０及びバックシート３０の間に配置された吸収体２０と、を備える。また、本発明において、吸収性物品１の用途は特に限定されないが、軽失禁パッド、軽失禁ライナーとして好適に用いることができる。
【００１９】
吸収性物品１の形状は、特に限定されないが、図１に示すような長手方向中央部の幅方向側端部に括れを有する略瓢箪形状や、略長方形状であってもよい。吸収性物品１の長手方向の寸法は、１５０ｍｍ以上３００ｍｍ以下であり、幅方向の寸法は、６０ｍｍ以上９０ｍｍ以下であることが好ましい。吸収性物品１の長手方向及び幅方向の寸法をこのような範囲にすることにより、軽失禁パッドや軽失禁ライナーとして適切な寸法の吸収性物品１を提供することができる。
【００２０】
［吸収体］
吸収体２０は、トップシート１０側から順に、第一吸収体２１と第二吸収体２２を少なくとも備える複層構造を有する。
第一吸収体２１は、基材としての吸収性繊維と、高吸収性ポリマーと、を含有することが好ましいが、２枚の不織布シートに高吸収性ポリマーを挟持した高吸収性シートであってもよい。また、第二吸収体２２は、基材としての吸収性繊維と、高吸収性ポリマーと、を含有する。第一吸収体２１及び第二吸収体２２において、吸収性繊維及び高吸収性ポリマーの形態は、吸収性繊維中に高吸収性ポリマー粒子を混合して形成した積層マットの形態であることが好ましい。吸収性繊維は、一般に生理用ナプキンや紙おむつ、軽失禁パッド、軽失禁ライナー、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ（針葉樹、広葉樹）及び非木材パルプ等を綿状に解繊したものを挙げることができる。第一吸収体２１及び第二吸収体２２に用いる吸収性繊維は、吸収性能及び肌触りを損なわないように、２００ｇ／ｍ２以上５００ｇ／ｍ２以下の坪量とすることが好ましい。
【００２１】
高吸収性ポリマーとしては、尿を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。
第一吸収体２１（非スリット領域に限る）と第二吸収体２２それぞれにおける高吸収性ポリマーの坪量は、吸収性能及び肌触りを損なわないように、２０ｇ／ｍ２以上２５０ｇ／ｍ２以下とすることが好ましく、第一吸収体２１（第一吸収体２１が吸収性繊維と、高吸収性ポリマーと、を含有する場合）、第二吸収体２２のそれぞれの総量に対して１０質量％以上５０質量％以下の含有量とすることが好ましい。
なお、第二吸収体２２のバックシート３０側に第三吸収体（図示しない）を設ける場合には、第三吸収体は、第二吸収体２２と同様に上記の構成とする。第三吸収体よりもバックシート３０側に、更に吸収体を設ける場合も同様である。
【００２２】
第一吸収体２１及び第二吸収体２２の厚みは、着用感の低下を抑制するために、それぞれ１ｍｍ以上５ｍｍ以下であることが好ましく、１ｍｍ以上４ｍｍ以下であることがより好ましい。第一吸収体２１及び第二吸収体２２の厚みが１ｍｍより小さい場合には、均一な繊維マットの形成が難しく、厚みが５ｍｍより大きい場合には、着用者が座ったり立ったりする動作時に違和感を生じ、着用感が低下する場合がある。なお、第一吸収体２１（スリット２１ａも含む）及び第二吸収体２２の、長手方向の寸法は１４０ｍｍ以上２９０ｍｍ以下、幅方向の寸法は５５ｍｍ以上８５ｍｍ以下であることが好ましい。
【００２３】
（スリット）
第一吸収体２１は、長手方向に沿って第一吸収体２１を厚さ方向に貫通するスリット２１ａを少なくとも２本有している。第一吸収体２１がスリット２１ａを備えることにより、尿の拡散性を向上させ、吸収性物品１全体における吸収性を向上させることができる。
尿の拡散性を向上させるために、スリット２１ａの１本あたりの、長手方向の寸法は、１００ｍｍ以上２７０ｍｍ以下であり、幅方向の寸法は、５ｍｍ以上３０ｍｍ以下であることが好ましい。
また、スリット２１ａの本数は、尿の拡散性と着用感のバランスの観点から、２本以上４本以下であることが好ましい。
【００２４】
［開孔シート］
第一吸収体２１と第二吸収体２２との間には、複数の開孔を有する開孔シート４０が設けられている。図２に示すように、開孔シート４０には、平面視において、長手方向に沿って略帯状の形状を有する、凸部４１と凹部４２が、幅方向に交互に形成されており、開孔シート４０の幅方向両端部は凸部４１で構成されており、凹部４２がスリット２１ａと厚さ方向に略重複するように配置されている。したがって、凸部４１と凹部４２の数は、スリット２１ａの数に依存することになる。ここで、本明細書において、凹部４２がスリット２１ａと厚さ方向に略重複するとは、平面視において、凹部４２とスリット２１ａの重複しない領域の幅方向の寸法が、スリット２１ａの幅方向の寸法に対して１０％以下であり、凹部４２とスリット２１ａの重複しない領域の長手方向の寸法が、スリット２１ａの長手方向の寸法に対して１０％以下であることを指す。
【００２５】
開孔シート４０の材質としては、例えば、ポリエチレン、ポリプロピレン、ウレタン等を用いることができ、これらを混合させたものを用いてもよい。また、開孔シート４０の厚みについては、薄すぎると柔らかさは良好だが凹凸を良好に維持できず、逆に厚すぎると凹凸は良好に維持できるが柔らかさを損なうことになる。そのため、凹凸の形状安定性、柔らかさに由来する着用感、さらに、加工性、強度の観点から、開孔シート４０の厚みは、５０μｍ以上３００μｍ以下であることが好ましい。さらに、加工性及び強度の観点から、開孔シート４０の坪量は、１５ｇ／ｍ２以上７０ｇ／ｍ２以下であることが好ましい。
【００２６】
また、本発明において、凹部４２における開孔の面積率が、凸部４１における開孔の面積率よりも小さいことが好ましい。ここで、本発明において、凹部４２がスリット２１ａと厚さ方向に略重複するように配置されるため、換言すると、凸部４１が第一吸収体２１の非スリット領域と略重複することになる。そのため、排尿時には、第一吸収体２１から厚さ方向に透水した尿は、開孔の面積率が相対的に大きい凸部４１を介して、速やかに第二吸収体２２で吸収されるとともに、その他の尿は、スリット２１ａの領域に集まる構造となっている。そして、スリット２１ａと厚さ方向に略重複するように配置された凹部４２における、開孔の面積率は相対的に小さいため、スリット２１ａの長手方向に十分に尿を拡散させたうえで、凹部４２を介して、速やかに第二吸収体２２で吸収される。
なお、凸部４１ではなく、凹部４２がスリット２１ａと厚さ方向に略重複するように配置されていることにより、凹部４２が一時的に尿を貯蔵する役割も担うため、長手方向に尿を拡散しやすくすることができる。
このように、トップシート１０側から順に、第一吸収体２１、第二吸収体２２、開孔シート４０を備え、第一吸収体２１に上記した態様でスリット２１ａを設けたうえで、開孔シート４０の凹部４２と凸部４１とで開孔の面積率を相対的に異なるように調整し、さらに、凹部４２をスリット２１ａと厚さ方向に略重複させるように配置させることで、上記の仕組みにより、尿の拡散性が効果的に向上し、第一吸収体２１及び第二吸収体２２の広い範囲での吸収が可能となり、吸収性も効果的に向上する。また、繰り返し尿が排泄された場合においても、優れた吸収性を発揮することができる。
【００２７】
凸部４１における開孔の面積率が５％以上６０％以下であり、凹部４２における開孔の面積率が１％以上４０％以下であることが好ましい。凸部４１及び凹部４２における開孔の面積率が、当該数値範囲であることを前提として、凹部４２における開孔の面積率が、凸部４１における開孔の面積率よりも小さい場合には、凸部４１における開孔の面積率（％）と凹部４２における開孔の面積率（％）の差が１０以上であることが好ましい。これにより、尿の拡散性がより効果的に向上し、第一吸収体２１及び第二吸収体２２の広い範囲での吸収が可能となり、吸収性も効果的に向上する。
【００２８】
また、凸部４１における各開孔の面積は略同一であり、凹部４２における各開孔の面積のパターンが２種以上であることが好ましい。開孔の形状としては、特に限定されず、円形、楕円型、三角形、四角形、その他の多角形等を用いることができるが、操業性の観点から円形または楕円形であることが好ましい。凸部４１における各開孔の面積は略同一であることにより、第一吸収体２１から厚さ方向に透水した尿を、凸部４１を介して、均等に満遍なく第二吸収体２２で吸収させることができる。この場合において、凸部４１における各開孔の形状も略同一であることが好ましい。なお、本明細書において、各開孔の面積が略同一であるとは、全ての開孔の各面積が、開孔の平均面積の±１０％以内であることを指す。
【００２９】
さらに、凹部４２における各開孔の面積のパターンが２種以上であることにより、凹部４２の長手方向に尿を拡散させる時間を確保しつつ、第二吸収体２２にスムーズに尿を導きやすくすることができるため、尿の拡散性を向上させ、吸収性物品１全体としての吸収性をより向上させることができる。この場合において、凹部４２における各開孔の形状のパターンも、２種以上であることが好ましい。
開孔シート４０における各開孔の面積は、１ｍｍ２以上１００ｍｍ２以下であることが好ましく、４ｍｍ２以上６４ｍｍ２以下であることが好ましい。各開孔の面積を上記の範囲に調整することにより、第二吸収体２２に尿を導くことができる。
さらに、凹部４２における各開孔の面積のパターンが２種である場合において、図３に示すように、面積の大きい開孔を第一の開孔４２ａ、面積の小さい開孔を第二の開孔４２ｂとした場合に、各開孔の面積が上記の数値範囲であることを前提として、第一の開孔４２ａの面積（ｍｍ２）と第二の開孔４２ｂの面積（ｍｍ２）の差が、４ｍｍ２以上４０ｍｍ２以下であることが好ましく、９ｍｍ２以上３０ｍｍ２以下であることがより好ましい。第一の開孔４２ａの面積（ｍｍ２）と第二の開孔４２ｂの面積（ｍｍ２）の差が、上記の範囲にあることにより、凹部４２の長手方向に尿を拡散させる時間を確保しつつ、第二吸収体２２にスムーズに尿を導き易くする効果がより発揮されやすくなり、より効果的に、尿の拡散性を向上させ、吸収性物品１全体としての吸収性をより向上させることができる。なお、各第一の開孔４２ａ及び各第二の開孔４２ｂのそれぞれの面積は、それぞれの平均面積の±１０％以内である。
【００３０】
また、上記同様に、尿の拡散性、吸収性物品１全体における吸収性を向上させる観点から、第一の開孔４２ａの数が、第二の開孔４２ｂの数よりも少ないことが好ましい。
【００３１】
平面視において、凹部４２の幅方向各端部から凹部４２の幅方向の寸法の２０％までの各領域に、それぞれ、第一の開孔４２ａの全数のうち５％以上６０％以下が配置されることが好ましい。これにより、尿が長手方向に展開されやすくなり、かつ、凹部４２と凸部４１の境界線近傍に溜まりやすい尿を垂直方向下方に位置する第二吸収体２２へと導くことができる。さらに、尿の、長手方向の展開と第二吸収体２２への移行のバランスの観点から、平面視において、凹部４２の幅方向各端部から凹部４２の幅方向の寸法の２０％までの各領域に、それぞれ、第一の開孔４２ａの全数のうち１０％以上６０％以下が配置されることがより好ましく、第一の開孔４２ａの全数のうち２０％以上６０％以下が配置されることが更に好ましい。
【００３２】
［トップシート］
トップシート１０は、吸収性物品１の内部に向けて尿を速やかに通過させるものであり、吸収体２０を挟んで、バックシート３０に対向して配置される。トップシート１０は、肌と当接するシートとなることから、やわらかな感触で、肌に刺激を与えないような性質を有する、親水性不織布、開口ポリエチレンフィルム等の開口性フィルム、ウレタンフォーム等の発泡フィルム又はこれらを積層した複合シートから形成される。なお、トップシート１０は、単層であっても、複数層積層していてもよく、ドライタッチ性を付与するために多数の透孔が形成されていてもよい。
【００３３】
また、上記のような性質を有する親水性不織布としては、ポリプロピレンやポリエチレン等の合成繊維や、レーヨン等の再生繊維、綿等の天然繊維を用いて、サーマルボンド法、エアスルー法、スパンレース法、スパンボンド法等の公知の加工法によって得られたものを用いることができる。
【００３４】
トップシート１０の坪量は、加工性及び強度の点から、１５ｇ／ｍ２以上４０ｇ／ｍ２以下であることが好ましい。トップシート１０には、肌への刺激を低減させるために、ローション、酸化防止剤、抗炎症成分、ｐＨ調整剤、抗菌剤、保湿剤等を塗布してもよい。
【００３５】
［バックシート］
本発明に用いるバックシート３０としては、液不透過性であり、かつ、遮水性を有するシート材が用いられるが、ムレ防止のために透湿性を有していてもよい。このような特性を有するバックシート３０の材料としては、例えば、ポリエチレンシートやポリエチレンラミネート不織布等の厚みの薄いプラスチックシートを挙げることができる。また、バックシート３０の坪量は、加工性及び強度の点から、１５ｇ／ｍ２以上６０ｇ／ｍ２以下であることが好ましい。バックシート３０の衣類側表面には、装着時のズレを防止するための固定部材を設けていてもよい。固定部材の基材としては、特に限定されないが、メカニカルフックテープ又は粘着剤であることが好ましい。また、固定部材を保護するための剥離シートを有していてもよい。
【００３６】
（立体ギャザー）
本発明の吸収性物品１は、幅方向の両端部に立体ギャザー（図示しない）を備えてもよい。立体ギャザーを幅方向の両端部に設けることにより、尿の幅方向からの漏れを効果的に防止することができる。立体ギャザーとしては、疎水性繊維にて形成された撥水性又は液不透過性のシート、例えば、スパンボンド不織布、メルトブロー不織布、ポリエチレンフィルムを用いることができる。これらの基材から適宜選択し、二重に接合したものを用いることもできる。また、立体ギャザーの坪量は、加工性及び強度の点から、１５ｇ／ｍ２以上１００ｇ／ｍ２以下であることが好ましい。
【００３７】
（伸縮弾性部材）
また、立体ギャザーは、自由端側及び基端側に少なくとも一本ずつの伸縮弾性部材を長手方向に沿って有することが好ましい。伸縮弾性部材を長手方向に沿って設けることで、立体ギャザーが起立性を有し、着用者の体型に合わせて変形可能なものとなり、フィット性が向上することで、尿の漏れを効果的に防止することができるようになる。伸縮弾性部材としては、例えば、ポリウレタン糸、帯状のポリウレタンフィルム、糸状又は帯状の天然ゴム等が使用される。
【００３８】
なお、吸収性物品１の長手方向両端部においては、立体ギャザーは、その自由端がトップシート１０上に固定されていることが好ましく、このため、立体ギャザーの内側側面が、トップシート１０の身体側表面と接合していることが好ましい。これにより、立体ギャザーは、長手方向両端部を除く部位のみにおいて起立することとなる。
【００３９】
＜吸収性物品の製造方法＞
本発明の吸収性物品１は、例えば、衣類側から順に、バックシート３０と、第二吸収体２２と、開孔シート４０と、あらかじめスリット２１ａを設けた第一吸収体２１と、トップシート１０と、を積層し、トップシート１０とバックシート３０の一部又は全周を固定することにより製造することができる。
【００４０】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４１】
１          吸収性物品
１０        トップシート
２０        吸収体
２１        第一吸収体
２１ａ      スリット
２２        第二吸収体
３０        バックシート
４０        開孔シート
４１        凸部
４２        凹部
４２ａ      第一の開孔
４２ｂ      第二の開孔
【図１】
2019170726.tif 000003
【図２】
2019170726.tif 000004
【図３】
2019170726.tif 000005